(57)【特許請求の範囲】
【請求項１】
チャンネルを有する挿入部と、前記挿入部の先端部に設けられ、湾曲操作可能な能動湾曲部とを有する内視鏡と、
先端領域及び前記先端領域よりも曲げ剛性の高い基端領域を有する針管と、
前記チャンネルに挿入可能であり、前記針管が挿通されるシース部と、
前記先端領域と前記基端領域とを接続する接続部材と、
前記シース部の基端側に設けられ、前記内視鏡に装着可能な取付アダプタと、
を備え、
前記シース部を前記チャンネルに挿通し、且つ前記取付アダプタを前記内視鏡に装着した状態において、
前記接続部材は、前記挿入部のうち、前記能動湾曲部の基端よりも基端側であって、かつ前記挿入部の先端を十二指腸球部に位置させたときに胃の大弯に沿って受動的に湾曲可能な倣い湾曲領域の近位端よりも先端側の範囲内のみを移動可能である
生検システム。
【請求項２】
前記倣い湾曲領域の前記近位端は、前記挿入部の先端から４１センチメートルの位置にある、
請求項１に記載の生検システム。
【請求項３】
前記針管を前記シース部に対して進退させる針管操作部を有し、
前記接続部材は、前記針管操作部の操作に応じて、前記範囲内を移動可能である
請求項１に記載の生検システム。
【請求項４】
先端領域及び前記先端領域よりも曲げ剛性の高い基端領域を有する針管と、
前記先端領域と前記基端領域を接続する接続部材と、
前記針管が挿通されるシース部と、
前記針管を前記シース部に対して進退させる針管操作部と、
を備え、
前記接続部材は、前記針管操作部の操作により、前記シース部の先端から前記シース部の基端側に向かって８センチメートルの位置と前記シース部の先端から前記シース部の基端側に向かって４０センチメートルの位置との間の範囲のみを移動可能である
処置具。
【請求項５】
前記シース部は
先端側に配置される第一インナーシースと、
前記第一インナーシースよりも基端側に、前記第一インナーシースと離間して配置される第二インナーシースと、
前記第一インナーシースおよび前記第二インナーシースが配置されるアウターシースと、を有し、
前記接続部材の外径は、前記先端領域の外径および前記基端領域の外径よりも大きく、
前記接続部材は、前記第一インナーシースの基端と前記第二インナーシースの先端との間に位置し、且つ前記第一インナーシースと前記第二インナーシースの径方向において前記第一インナーシースおよび前記第二インナーシースと重合している
請求項４に記載の処置具。
【発明の詳細な説明】
【技術分野】
【０００１】
本発明は、生検システムおよび同生検システムに好適に用いられる処置具に関する。本願は、２０１５年３月２６日に、日本に出願された特願２０１５−０６３５４３号に基づき優先権を主張し、その内容をここに援用する。
【背景技術】
【０００２】
従来、微量の体組織を採取し、顕微鏡で観察する、生検といわれる検査方法が知られている。臓器等の深部の組織を採取する場合は光学内視鏡による観察が困難であるため、超音波内視鏡等により当該臓器の超音波断層像を取得し、超音波観察下で、管状の針管を有する穿刺針を臓器に刺入して組織を採取することがある（たとえば特許文献１参照）。
このような穿刺針は、超音波内視鏡等の処置具チャンネルに挿通可能なシース内に針管が配され、処置具チャンネルの内面が針管の鋭利な先端により傷つけられ難いように構成されている。
生検の対象臓器の一つに膵臓がある。膵臓は、消化管の背側に位置しているため、消化管内に導入した内視鏡から穿刺針を突出させ、消化管越しに膵臓に刺入することで膵臓の組織を採取することができる。
【先行技術文献】
【特許文献】
【０００３】
【特許文献１】日本国特開２００１−１２０５５７号公報
【発明の概要】
【発明が解決しようとする課題】
【０００４】
膵臓のうち膵頭部に対して生検を行う場合は、内視鏡の挿入部の先端位置を安定させるため、内視鏡の挿入部を大きく湾曲させて、消化管の内壁に接触させる必要がある。しかし、内視鏡の能動湾曲部は、大きな湾曲角度で湾曲されるため、能動湾曲部内の処置具チャンネルの曲率半径は極めて小さくなる。そのため、小さな曲率半径で湾曲された能動湾曲部内の処置具チャンネル内で穿刺針を移動させようとしても、穿刺針は、処置具チャンネルから大きな挿入抵抗（摩擦等）を受けるため、能動湾曲部を湾曲させたままでは、穿刺針を移動できない場合がある。【０００５】
上記事情を踏まえ、本発明は、消化管内からでも膵臓の生検を容易に行うことができる生検システムおよび処置具を提供することを目的とする。
【課題を解決するための手段】
【０００６】
本発明の第一の態様に係る生検システムは、チャンネルを有する挿入部と、前記挿入部の先端部に設けられ、湾曲操作可能な能動湾曲部とを有する内視鏡と、先端領域及び前記先端領域よりも曲げ剛性の高い基端領域を有する針管と、前記チャンネルに挿入可能であり、前記針管が挿通されるシース部と、前記先端領域と前記基端領域とを接続する接続部材と、前記シース部の基端側に設けられ、前記内視鏡に装着可能な取付アダプタと、を備え、前記シース部を前記チャンネルに挿通し、且つ前記取付アダプタを前記内視鏡に装着した状態において、前記接続部材は、前記挿入部のうち、前記能動湾曲部の基端よりも基端側であって、かつ前記挿入部の先端を十二指腸球部に位置させたときに胃の大弯に沿って受動的に湾曲可能な倣い湾曲領域の近位端よりも先端側の範囲内のみを移動可能である。
【０００７】
本発明の第二の態様として、第一の態様に係る生検システムでは、前記倣い湾曲領域の前記近位端は、前記挿入部の先端から４１センチメートルの位置にあってもよい。【０００８】
本発明の第三の態様として、第一の態様に係る生検システムでは、前記針管を前記シース部に対して進退させる針管操作部を有してもよく、前記接続部材は、前記針管操作部の操作に応じて、前記範囲内を移動可能であってもよい。【０００９】
本発明の第四の態様は、先端領域及び前記先端領域よりも曲げ剛性の高い基端領域を有する針管と、前記先端領域と前記基端領域を接続する接続部材と、前記針管が挿通されるシース部と、前記針管を前記シース部に対して進退させる針管操作部と、を備え、前記接続部材は、前記針管操作部の操作により、前記シース部の先端から前記シース部の基端側に向かって８センチメートルの位置と前記シース部の先端から前記シース部の基端側に向かって４０センチメートルの位置との間の範囲のみを移動可能である。
【００１０】
本発明の第五の態様として、第四の態様に係る処置具では、前記シース部は先端側に配置される第一インナーシースと、前記第一インナーシースよりも基端側に、前記第一インナーシースと離間して配置される第二インナーシースと、前記第一インナーシースおよび前記第二インナーシースが配置されるアウターシースとを有し、前記接続部材の外径は、前記先端領域の外径および前記基端領域の外径よりも大きく、前記接続部材は、前記第一インナーシースの基端と前記第二インナーシースの先端との間に位置し、且つ前記第一インナーシースと前記第二インナーシースの径方向において前記第一インナーシースおよび前記第二インナーシースと重合してもよい。
【発明の効果】
【００１１】
本発明に係る生検システムおよび処置具によれば、消化管内からでも膵臓の生検を容易に行うことができる。
【図面の簡単な説明】
【００１２】
【図１】本発明の一実施形態に係る生検システムの全体図である。
【図２】本発明の一実施形態に係る生検システムの超音波内視鏡の先端部分の断面図である。
【図３】本発明の一実施形態の内視鏡用穿刺針の斜視図である。
【図４】本発明の一実施形態の内視鏡用穿刺針の先端部分の断面図である。
【図５】本発明の一実施形態の内視鏡用穿刺針の針管を示す図である。
【図６】本発明の一実施形態の内視鏡用穿刺針の操作本体および針スライダを示す断面図である。
【図７Ａ】本発明の一実施形態の内視鏡用穿刺針の初期状態を示す図である。
【図７Ｂ】本発明の一実施形態の内視鏡用穿刺針の針管が最も突出した状態を示す図である。
【図８】膵頭部を観察している状態の超音波内視鏡を示す図である。
【図９】本発明の変形例に係る内視鏡用穿刺針の模式的な部分断面図である。
【発明を実施するための形態】
【００１３】
本発明の一実施形態について説明する。図１は本実施形態の生検システム１５０の全体図である。図２は、生検システム１５０に係る超音波内視鏡の先端部分の断面図である。図３は、生検システム１５０に係る内視鏡用穿刺針（処置具）１の斜視図である。図４は、内視鏡用穿刺針１の先端部分の断面図である。
【００１４】
生検システム１５０は、超音波内視鏡１００と、内視鏡用穿刺針１（以下、単に「穿刺針１」と称する。）とを備える。
【００１５】
図１に示すように、超音波内視鏡１００は、挿入部１０１と、操作部１０９と、ユニバーサルコード１１２と、光源装置１１３と、光学的観察部１１４と、超音波観察部１１５とを備える。挿入部１０１は、先端から体内に挿入されるように構成されている。操作部１０９は、挿入部１０１の基端に取り付けられている。ユニバーサルコード１１２は、操作部１０９の側部に第一端が接続されている。ユニバーサルコード１１２の第二端には、分岐ケーブル１１２ａを介して光源装置１１３が接続され、分岐ケーブル１１２ｂを介して光学的観察部１１４が接続され、分岐ケーブル１１２ｃを介して超音波観察部１１５接続されている。
【００１６】
挿入部１０１は、先端硬質部１０２、能動湾曲部１０５、および可撓管部１０６が先端側からこの順に並べて設けられている。
【００１７】
図２に示すように、先端硬質部１０２は、光学撮像機構１０３と、超音波走査機構１０４と、起上台１０８とを備える。光学撮像機構１０３は、光学的観察を行うために設けられている。超音波走査機構１０４は、超音波観察を行うために設けられている。起上台１０８は、後述するチャンネル１０７に挿通された穿刺針１の向きを調整するために設けられている。
【００１８】
光学撮像機構１０３は、撮像光学系と、イメージセンサと、イメージセンサの動作を制御するＣＰＵ等の不図示の各種構成を備える。撮像光学系は、先端硬質部１０２の斜め前方に視野が向けられている。イメージセンサは、撮像光学系を通じて入射した被写体の像を検出するＣＣＤやＣＭＯＳ等で構成されている。
【００１９】
超音波走査機構（プローブ）１０４は、超音波を出射し、受信する図示しない超音波振動子を備える。超音波走査機構１０４は、超音波振動子が発した超音波が観察対象に当たって反射した反射波を超音波振動子によって受信し、超音波振動子が受信した超音波に基づいた信号を超音波観察部１１５へ出力する。本実施形態の超音波走査機構１０４は、生検対象となる組織の超音波画像を取得し、また、生検の手技の過程で穿刺針１の針管３の超音波画像を取得するために使用される。
【００２０】
図２に示すように、起上台１０８は、挿入部１０１の中心線に対して交差する方向へ穿刺針１のシース部７（図３参照）の遠位部分の向きを変更させるための部材である。起上台１０８は、操作部１０９まで延びる図示しない起上用ワイヤを操作部１０９において牽引操作することによって、シース部７の外面を押してシース部７を湾曲状態に変形させることができる（図６参照）。
【００２１】
能動湾曲部１０５は、筒状をなす複数の関節１０５ｃが挿入部１０１の中心線方向に並べて連結されて構成される筒状部材である。能動湾曲部１０５は、能動湾曲部１０５の先端１０５ａ（図２参照）に固定され操作部１０９まで延びる図示しないアングルワイヤを操作部１０９において牽引操作することによって、所定の方向へ湾曲する。本実施形態の能動湾曲部１０５は、超音波操作機構１０４の超音波の走査方向に沿って２方向に湾曲可能である。本実施形態において、能動湾曲部１０５の基端は、挿入部１０１の先端から９〜１０センチメートルの位置にある。
なお、能動湾曲部の湾曲方向は２方向に限らず４方向であってもよい。
【００２２】
起上台１０８及び能動湾曲部１０５は、いずれも、穿刺針１を操作部１０９による能動的な湾曲操作に応じて湾曲形状に変形させる湾曲付与手段である。
【００２３】
可撓管部１０６は、管腔組織内や体腔内において先端硬質部１０２を所望の位置に案内できるように柔軟に形成された筒状部材である。
能動湾曲部１０５と可撓管部１０６とのそれぞれの内部には、チャンネル１０７と、送気送水や吸引などを行うための図示しない管路とが設けられている。可撓管部１０６のうち、能動湾曲部１０５の基端から所定の長さの範囲を、本発明では「倣い湾曲領域」と定義するが、詳細については後述する。
【００２４】
図１及び図２に示すように、チャンネル１０７は、穿刺針１を挿通可能な筒状部である。
図２に示すように、チャンネル１０７の先端は先端硬質部１０２の先端部近傍に開口されている。図１に示すように、チャンネル１０７の基端は操作部１０９の先端側の側面に開口されている。チャンネル１０７の先端から穿刺針１のシース部７が突出される過程で、穿刺針１のシース部７の外面には起上台１０８が接触可能である。チャンネル１０７の基端には、フランジ状に形成された基端口金１０７ｂが固定されている。基端口金１０７ｂには、超音波内視鏡１００とともに使用される穿刺針１を固定することができる。
【００２５】
図１に示すように、操作部１０９は、超音波内視鏡１００を使用する術者が手に持つことができるように形成された外面を有している。操作部１０９は、湾曲操作機構１１０と、複数のスイッチ１１１とを備えている。湾曲操作機構１１０は、アングルワイヤを牽引して能動湾曲部１０５を湾曲動作させたり、起上用ワイヤを牽引して起上台１０８を動作させたりするために設けられている。複数のスイッチ１１１は、管路を通じて送気、送水、あるいは吸引をするために設けられている。
【００２６】
光源装置１１３は、光学撮像機構１０３によって撮像するための照明光を発するための装置である。
【００２７】
光学的観察部１１４は、光学撮像機構１０３のイメージセンサによって撮像された映像をモニター１１６に映し出すように構成されている。
【００２８】
超音波観察部１１５は、超音波走査機構１０４から出力された信号を受信し、この信号に基づいて画像を生成してモニター１１６に映し出すように構成されている。
【００２９】
次に、穿刺針１の構成について説明する。
図３に示すように、穿刺針１は、挿入体２と、操作部８と、スタイレット２７とを備える。
【００３０】
挿入体２は、図１に示す超音波内視鏡１００のチャンネル１０７に挿通可能な細長い部材である。
図４に示すように、挿入体２は、針管３と、針管３が挿通されるシース部７とを備える。
【００３１】
針管３は、先端と基端とを有し、穿刺針１の操作部８により進退操作される筒状部材である。
針管３の先端は、組織に針管３を穿刺するために鋭利とされている。針管３の先端は、針管３の内部に組織を吸引するための開口４を有する。
針管３の先端に設けられた開口４は、針管３を形成する管状部材の先端を自身に対して斜めに切り落とすことにより形成されており、生体組織に刺入できるように鋭利に形成されている。開口４の具体的形状は、対象とする組織等を考慮して公知の各種形状から適宜選択されてよい。
【００３２】
図５に、針管３の構造を示す。針管３は、開口４を有する先端領域３０１と、先端領域３０１よりも基端側を構成する基端領域３０２とが管状の接続部材３０３で接続されて構成されている。先端領域３０１は、基端領域３０２よりも柔軟性に優れている。基端領域３０２は、先端領域３０１よりも曲げ剛性が高く、長手方向への力量伝達性（プッシャビリティ）に優れる。
【００３３】
先端領域３０１の材質としては、例えばニッケルチタン合金、コバルトクロム合金などが挙げられる。基端領域３０２の材質としては、例えばステンレス合金などが挙げられる。
先端領域３０１の材質にコバルトクロム合金を採用した場合は、ステンレス合金と比較して曲がり癖が付き難いため、小さな曲率半径で湾曲された能動湾曲部内の処置具チャンネル内で穿刺針１を移動させても、針管３の先端領域３０１に曲がり癖が付き難い。そのため、組織に針管３の先端領域３０１が真っ直ぐに刺入でき、狙った対象までアプローチが容易に可能となる。
【００３４】
接続部材３０３は、先端領域３０１および基端領域３０２が進入可能な内径を有する部材である。接続部材３０３の両側からそれぞれ先端領域３０１の基端側および基端領域３０２の先端側が接続部材３０３に挿入された状態でロウ付けやはんだ付けを行うことにより針管３が形成されている。
【００３５】
図４に示すように、シース部７は、アウターシース７１と、インナーシース７４とを備える。前述した針管３は、インナーシース７４内を進退自在に移動可能である。
【００３６】
アウターシース７１は、コイル体７２と、筒状の先端チップ７３とを備える。コイル体７２は、金属製の素線がコイル状に巻かれて構成されている。先端チップ７３は、コイル体７２の先端に固定されている。
【００３７】
コイル体７２を構成する素線の材質や形状は、コイル体７２の曲がりやすさや復元力に着目して適切に選択される。例えば、素線の材質としてはステンレス鋼、形状記憶合金、又は超弾性合金等から選択され、素線の形状としては断面円形や断面矩形等から選択される。
【００３８】
先端チップ７３は、コイル体７２の先端面に固定され、針管３を挿通可能な貫通孔が形成された筒状部材である。
【００３９】
インナーシース７４は、先端と基端とを有する樹脂製の筒状部材である。インナーシース７４の先端７４ａは、コイル体７２に固定されず、且つ先端チップ７３に固定されている。インナーシース７４の基端（不図示）は、操作部１０９まで延びている。なお、インナーシース７４の先端７４ａは先端チップに固定されていなくても良い。その場合は、アウターシース７１に対して摺動自在である。
【００４０】
先端チップ７３の内径は、インナーシース７４の内径よりも大きくてもよい。先端チップ７３の内径がインナーシース７４の内径よりも大きいと、インナーシース７４内に配される針管３が、先端チップ７３においては、先端チップ７３の内面から離間した位置となり、先端チップ７３の内面に対して針管３が摺動する場合と比較して摩擦抵抗が軽減される。
【００４１】
図１及び図３に示すように、操作部８は、操作本体９と、取り付けアダプタ１８と、針スライダ（針管操作部）２３とを備える。取り付けアダプタ１８は、操作本体９に連結されている。針スライダ２３は、操作本体９の基端側に設けられている。
【００４２】
操作本体９は、針管３およびシース部７が挿通可能な管腔を有する。操作本体９の先端側には、取り付けアダプタ１８が取り付けられている。操作本体９の基端側は、管状に形成された針スライダ２３に挿入されている。操作本体９と取り付けアダプタ１８、および操作本体９と針スライダ２３は、外周面に形成された図示しない溝あるいは凸部等が互いに係合することにより、軸線まわりの相対回転が抑制されつつ軸線方向に摺動可能である。
【００４３】
取り付けアダプタ１８は、超音波内視鏡１００のチャンネル１０７の先端からのシース部７の突出量を調整するために設けられている。取り付けアダプタ１８は、取り付けアダプタ１８の長手軸に沿って、操作本体９に対して移動可能に連結されている。取り付けアダプタ１８の先端部は、超音波内視鏡１００の基端口金１０７ｂに着脱可能である。
【００４４】
針スライダ２３は、針管３の基端領域３０２の基端に固定されている。針スライダ２３は、操作本体９の長手軸に対して移動可能となるように操作本体９に連結されている。
針管３において、基端領域３０２の基端側は、シース部７の基端から突出して針スライダ２３に固定されているため、針スライダ２３を操作本体９に対して摺動することで、シース部７の先端から針管３を突没させることができる。
【００４５】
図３に示すように、針スライダ２３は、ストッパ６１により移動が規制される。具体的には、針スライダ２３はストッパ６１と接触する位置まで操作本体９に対して前進できる。操作本体９に対するストッパ６１の固定位置を調節することで、針管３のシース部７からの最大突出長を調節することができる。
【００４６】
操作本体９の基端側に針スライダ２３が限界まで移動した位置に針スライダ２３がある状態が、穿刺針１の使用開始前における初期状態である。すなわち、初期状態における針スライダ２３の先端位置とストッパ６１との距離が、針管３の進退動作のストロークになる。初期状態では、針管３の先端はシース部７内にある。
【００４７】
図６に示すように、操作本体９及び針スライダ２３は、操作本体９の基端側への針スライダ２３の移動を規制するための係止構造２４を有している。係止構造２４は、操作本体９に形成された係止面９ｂと、針スライダ２３の凸部２３ａに形成された当接面２３ｂとによって構成されている。操作本体９に対して針スライダ２３を、操作本体９の長手軸に沿って最も基端側に移動させたときに、係止面９ｂと当接面２３ｂとが接する。
係止面９ｂと当接面２３ｂとが互いに接している初期状態では、操作本体９に対して針スライダ２３が係止されている。
【００４８】
針スライダ２３の基端部にはスタイレット２７が取り付けられている。スタイレット２７は、針管３の内部に挿通される針状部材である。スタイレット２７の先端は、針状に限られず、スタイレット２７の長手軸に対して交差する面に沿う端面を有していてもよいし、半球面等の曲面を有していてもよい。
【００４９】
穿刺針１が内視鏡１００に装着された状態において、接続部材３０３が能動湾曲部１０５の基端から倣い湾曲領域Ｒ１（図１参照）の基端（挿入部１０１の先端から４１センチメートルの位置）までの間に位置するように、針管３の進退動作のストロークが設定されている。つまり、操作本体９に対してストッパ６１を最大限前進させたときに針スライダ２３の先端面をストッパ６１に当接させた位置において、接続部材３０３（特に、接続部材３０３の先端）は能動湾曲部１０５の基端よりも基端側に位置する。操作本体９の係止面９ｂと針スライダ２３の当接面２３ｂとが接触している状態では、接続部材３０３（特に、接続部材３０３の基端）は倣い湾曲領域Ｒ１の基端よりも先端側に位置する。そのため、能動湾曲部１０５によって大きな湾曲角度で曲げられたチャンネル１０７内のシース部７の内部には、針管３の先端領域３０１が位置し、倣い湾曲領域Ｒ１の基端よりも基端側のほぼ直線形状であるチャンネル１０７内のシース部７の内部には、針管３の基端領域３０２が位置する。能動湾曲部１０５の基端から倣い湾曲領域Ｒ１の基端までの間には、針管３の進退動作のストロークに応じて、針管３の先端領域３０１または基端領域３０２が位置する。倣い湾曲領域Ｒ１は、能動湾曲部１０５に比べて緩やかに湾曲するため、針管３の曲げ剛性の変化に対する影響は小さい。すなわち、倣い湾曲領域Ｒ１内では、針管３の進退動作のストロークに応じて先端領域３０１または基端領域３０２が通過するように設定されることで、針管３のプッシャビリティと、シース部７の内周面と針管３の外周面との摩擦軽減とのバランスを取ることができる。
【００５０】
上述のように、能動湾曲部１０５の基端から倣い湾曲領域Ｒ１の基端までの間に接続部材３０３が位置するように、針管３における接続部材３０３の位置は、所定の条件に設定されている。
図７Ａに示す初期状態において、針管３は、シース部７に対して最も後退している。このとき、接続部材３０３の先端は、シース部７の先端から４０センチメートル以下の範囲に位置する。
図７Ｂには、ストッパ６１を限界まで先端側に移動させて針スライダ２３をストッパ６１に接触させた、針管３の最大突出状態を示している。このとき、接続部材３０３の先端は、シース部７の先端から８センチメートル以上の範囲に位置する。
【００５１】
以上の構成により、針管３において先端領域３０１と基端領域３０２の境界となる接続部材３０３は、針スライダ２３の操作により、シース部７の先端から８センチメートル以上４０センチメートル以下の範囲のみを移動する。言い換えると、シース部７の先端から８センチメートル未満の範囲に針管３の基端領域３０２が位置すること、シース部７の先端から４０センチメートルより離れた範囲に針管３の先端領域３０１が位置することのいずれも、構造的に起こりえないように設定されている。
上記のように構成された本実施形態の生検システム１５０の使用時の動作について、膵頭部への生検を行う場合の例を用いて説明する。
【００５２】
まず術者は、側臥位で患者を寝かせ、口から内視鏡１００を挿入し、消化管内に導入する。術者は、内視鏡１００の先端部を十二指腸球部（以下、単に「球部」と称することがある。）まで進める。続いて、超音波走査機構１０４を球部の後壁に接触させて超音波観察を行い、膵臓や病変の位置確認、および穿刺位置の特定等を行う。
【００５３】
図８に、膵頭部を観察している状態の内視鏡１００を示す。十二指腸球部Ｄｂから膵頭Ｐｈにアクセスする場合、超音波走査機構１０４を十二指腸球部Ｄｂの後壁に接触させるため、能動湾曲部１０５は大きな湾曲角度で湾曲される。能動湾曲部１０５の基端から基端側の挿入部１０１のうち、倣い湾曲領域Ｒ１の少なくとも一部、例えば能動湾曲部１０５の基端から２５センチメートルの位置を含む近傍の領域が胃Ｓｔの大弯Ｇｃに接触するように湾曲する。このように、倣い湾曲領域Ｒ１とは、内視鏡の先端部を十二指腸球部Ｄｂに位置させたときに、大弯Ｇｃの湾曲形状に倣って大弯Ｇｃに沿うように配置されることが可能な挿入部の一定長さの領域を意味する。挿入部１０１のうち、倣い湾曲領域Ｒ１の基端よりも基端側の領域は、概ね直線状に噴門Ｃｏまで延びる。
倣い湾曲領域Ｒ１は、大弯Ｇｃから外力を受けて受動的に湾曲される部分である。倣い湾曲領域Ｒ１は、大弯Ｇｃから外力を受けても、内視鏡１００の先端部を十二指腸球部Ｄｂまで進めた状態では能動湾曲部１０５よりも曲率半径は大きい状態である。
【００５４】
挿入部１０１が図８に示すような形状であるとき、倣い湾曲領域Ｒ１の基端よりも基端側の領域は通常略直線状であり、胃壁から力を受けにくいため、挿入部１０１の先端に設けられた超音波走査機構１０４の位置を安定させることには寄与しない。したがって、倣い湾曲領域Ｒ１が大弯Ｇｃ部分の胃壁からの力を受け易いか否かが、手技中における超音波走査機構１０４の位置の安定性を大きく左右する。
【００５５】
穿刺位置の決定後、術者又は介助者は、内視鏡１００のチャンネル１０７に初期状態の穿刺針１の先端を挿入する。取り付けアダプタ１８を基端口金１０７ｂに固定すると、穿刺針１が内視鏡１００に装着される。穿刺針１が内視鏡１００に装着された状態におけるシース部７のチャンネル１０７先端からの突出量は、操作本体９を操作して所望の長さに設定できる。通常は、光学撮像機構１０３でシース部７から突出する針管３の先端を好適に観察できる程度の、例えば１０ミリメートル程度に設定される。
【００５６】
上述した穿刺針１の構造により、シース部７がチャンネル１０７の先端開口から１０ミリメートル突出するように穿刺針１が内視鏡１００に装着された場合、接続部材３０３の先端は、針スライダ２３の操作により、チャンネル１０７の先端開口から７センチメートル以上３９センチメートル以下の範囲、言い換えると倣い湾曲領域Ｒ１の範囲内のみを移動する。すなわち、針スライダ２３の先端をストッパ６１に当接させた状態では、接続部材３０３の先端は、能動湾曲部１０５の基端よりも基端側に位置される。針スライダ２３の当接面２３ｂを操作本体９の係止面９ｂに当接させた状態では、接続部材３０３の先端は、チャンネル１０７の先端開口から３９センチメートルの位置よりも先端側に位置される。
【００５７】
チャンネル１０７に穿刺針１が挿入されると、挿入部１０１は穿刺針１の挿入前に比べて曲がりにくくなる。しかし、穿刺針１においては、上述したように接続部材３０３の位置が設定されているため、穿刺針１が初期状態で内視鏡１００に装着されていると、能動湾曲部１０５内には、針管３のうち、先端領域３０１しか存在しない。その結果、穿刺針１は、能動湾曲部１０５の湾曲を妨げにくく、能動湾曲部１０５の形状が好適に保持される。
【００５８】
さらに、倣い湾曲領域Ｒ１は、直線形状でもなく、能動湾曲部１０５の曲率半径よりも大きい状態であるため、先端領域３０１および基端領域３０２のいずれが存在しても倣い湾曲領域Ｒ１の柔軟性が大きく低下せず、且つプッシャビリティも低下し難い。
【００５９】
術者は、起上台１０８を操作して、シース部７および針管３の向きを調節する。超音波画像で針管３の前方を確認しながら、針スライダ２３を先端側に移動させる。すると、シース部７から突出した針管３は、十二指腸球部Ｄｂの後壁に刺入され、後壁を貫通して膵頭Ｐｈに刺入される。
【００６０】
針スライダ２３の操作時、穿刺針１（シース部７）の先端側は、能動湾曲部１０５および起上台１０８により大きな湾曲角度で湾曲されているため、針管３を前進させるためには高いプッシャビリティが必要である。穿刺針１については、上述の設定により、内視鏡１００に装着された状態においては、倣い湾曲領域Ｒ１よりも基端側の、略直線状態の挿入部１０１内には、相対的に曲げ剛性の高い基端領域３０２のみが存在している。これにより高いプッシャビリティが保たれ、針スライダ２３の操作により、好適に針管３を前進させることができる。さらに、針管３が前進される際は、相対的に曲がりやすい先端領域３０１のみが大きな湾曲角度で湾曲されたチャンネル１０７内を通過するため、湾曲による摩擦抵抗が低減されて針管３が引っ掛かりなく前進する。
【００６１】
針管３が生検対象の組織に刺入されたあとは、スタイレット２７を抜去して公知の手順により吸引生検を行う。
【００６２】
以上説明したように、本実施形態の穿刺針１および生検システム１５０は、十二指腸球部Ｄｂから膵臓にアクセスする際の内視鏡挿入部の形状に着目し、大きな湾曲角度で湾曲されたシース部７の湾曲形状における針管３のスムーズな進退と高いプッシャビリティとが両立されるように、針スライダ２３の操作による接続部材３０３の移動範囲が設定されている。
したがって、高度な技術を必要とする膵頭部への生検も、従来の生検システムよりはるかに容易に行うことができる。
【００６３】
以上、本発明の一実施形態について図面を参照して詳述したが、具体的な構成はこの実施形態に限られるものではなく、本発明の要旨を逸脱しない範囲の設計変更等も含まれる。
【００６４】
例えば、図９に示す変形例のように、インナーシース７４Ａが先端側の第一インナーシース７４１と基端側の第二インナーシース７４２とから構成されてもよい。その場合、第1実施形態で記載した針管３は、第一インナーシース７４および第二インナーシース７４２の内部を進退自在に移動可能である。第一インナーシース７４１と第二インナーシース７４２とは、アウターシース７１内で接続部材３０３の移動範囲以上離間して配置される。接続部材３０３は、針スライダの操作により、第一インナーシース７４１と第二インナーシース７４２との間の、いずれのインナーシースも配置されていない領域のみを進退移動するように設定されている。すなわち、この変形例において、接続部材３０３は、第一インナーシース７４１の基端と第二インナーシース７４２の先端との間に位置し、且つ第一インナーシースおよび第二インナーシースの径方向において第一インナーシースおよび第二インナーシースと重合している。言い換えると、第一インナーシース７４１の基端と第二インナーシース７４２の先端との間において、接続部材３０３の外径は第一インナーシース７４１および第二インナーシース７４２の内径よりも大きい。このようにすると、接続部材３０３の外径に制約されずに第一インナーシース７４１および第二インナーシース７４２の内径を設定することができる。その結果、インナーシースを備えた構成としつつ、穿刺針の小径化も可能となる。
【００６５】
上記変形例において、第一インナーシース７４１と第二インナーシース７４２とは、異なる材料で形成されてもよい。例えば、第一インナーシース７４１を、針管の鋭利な先端によって内面が傷つくのを予防するために、ポリエーテルエーテルケトン（ＰＥＥＫ）で形成し、第二インナーシース７４２を、アウターシース７１及び針管３に対する摺動抵抗を下げるために、高密度ポリエチレン（ＨＤＰＥ）で形成してもよい。ただし、第一インナーシース７４をポリエーテルエーテルケトン（ＰＥＥＫ）で形成した場合、シース先端部の剛性が大きくなり柔軟性を損なう可能性がある。その場合には、第一インナーシース７４１を２つの異なる材料で形成しても良い。例えば、第１インナーシースの先端２ｃｍ程度がＰＥＥＫで形成し、第１インナーシースの後端がＨＤＰＥで形成し、柔軟性を向上させても良い。このように、付与したい所望の機能や特性等を考慮して、それぞれのインナーシースの材料を選択することが可能である。
【００６６】
また、第一インナーシース及び第二インナーシースの長さおよび配置位置には、接続部材の移動範囲に影響を与えない限り、特に制限はない。
さらに、第二インナーシースは、アウターシースに対して摺動可能に配置されてもよい。この場合も、第二インナーシースの内径を接続部材の外径未満とすることで、同様に穿刺針の小径化が可能である。
【産業上の利用可能性】
【００６７】
消化管内からでも膵臓の生検を容易に行うことができる生検システムおよび処置具を提供できる。
【符号の説明】
【００６８】
１  内視鏡用穿刺針（処置具）
３  針管
７  シース部
２３  針スライダ（針管操作部）
７４Ａ  インナーシース
１００  超音波内視鏡
１０１  挿入部
１０５  能動湾曲部
１０７  チャンネル
１５０  生検システム
３０１  先端領域
３０２  基端領域
３０３  接続部材
７４１  第一インナーシース
７４２  第二インナーシース
Ｇｃ  大弯
Ｒ１  倣い湾曲領域
Ｓｔ  胃
【要約】
生検システムは、チャンネルを有する挿入部と、湾曲操作可能な能動湾曲部とを有する内視鏡と、先端領域及び前記先端領域よりも曲げ剛性の高い基端領域を有する針管と、前記チャンネルに挿入可能であり、前記針管が挿通されるシース部と、前記シース部の基端側に設けられ、前記内視鏡に装着可能な取付アダプタと、前記先端領域と前記基端領域とを接続する接続部材と、を備え、前記接続部材は、前記挿入部のうち、前記能動湾曲部の基端よりも基端側であって、かつ前記挿入部の先端を十二指腸球部に位置させたときに胃の大弯に沿って受動的に湾曲可能な倣い湾曲領域の近位端よりも先端側の範囲内のみを移動可能である。【図１】
0005985128.tif 000002
【図２】
0005985128.tif 000003
【図３】
0005985128.tif 000004
【図４】
0005985128.tif 000005
【図５】
0005985128.tif 000006
【図６】
0005985128.tif 000007
【図７Ａ】
0005985128.tif 000008
【図７Ｂ】
0005985128.tif 000009
【図８】
0005985128.tif 000010
【図９】
0005985128.tif 000011